(57)【要約】【課題】パークゴルフまたはグラウンドゴルフ用クラブのフェース面が損傷したり汚れたりするのを防止することができるフェース保護部材の提供。【解決手段】フェース保護部材１は、パークゴルフまたはグラウンドゴルフ用クラブのフェース面を保護するためにフェース面に貼着されるものであって、フィルム状の基材２と、基材２に積層される粘着層３と、粘着層３に設けられる剥離紙４とを備える。このような構成のフェース保護部材１は、粘着層３から剥離紙４が剥がされて、クラブのフェース面に貼着される。なお、基材２は、フェース面と同一形状に形成されており、フェース面全域を覆うようにして、フェース面に貼着される。【選択図】図１
0003202184.tif 000002
【実用新案登録請求の範囲】
【請求項１】
パークゴルフまたはグラウンドゴルフ用クラブのフェース面を保護するために、前記フェース面に貼着されるフェース保護部材であって、
フィルム状の基材と、
前記基材に積層され、前記基材を前記フェース面に剥離可能に貼着する粘着層と、
前記粘着層に剥離可能に設けられる剥離材と
を備えることを特徴とするパークゴルフまたはグラウンドゴルフ用クラブのフェース保護部材。
【請求項２】
前記基材は、前記フェース面と同一形状に形成されており、前記フェース面全域を覆うようにして、前記粘着層を介して前記フェース面に貼着される
ことを特徴とする請求項１に記載のパークゴルフまたはグラウンドゴルフ用クラブのフェース保護部材。
【請求項３】
パークゴルフまたはグラウンドゴルフ用クラブのフェース面を保護するためのフェース保護部材が設けられたパークゴルフまたはグラウンドゴルフ用クラブであって、
前記フェース保護部材は、フィルム状の基材と、前記基材に積層される粘着層とを備えており、
前記基材が前記粘着層を介して前記フェース面に剥離可能に貼着された
ことを特徴とするパークゴルフまたはグラウンドゴルフ用クラブ。
【請求項４】
前記基材は、前記フェース面と同一形状に形成されており、前記フェース面全域を覆うようにして、前記粘着層を介して前記フェース面に貼着された
ことを特徴とする請求項３に記載のパークゴルフまたはグラウンドゴルフ用クラブ。
【考案の詳細な説明】
【技術分野】
【０００１】
本考案は、パークゴルフまたはグラウンドゴルフ用クラブのフェース面に貼着されるフェース保護部材と、このフェース保護部材が貼着されたパークゴルフまたはグラウンドゴルフ用クラブに関するものである。
【背景技術】
【０００２】
従来、パークゴルフ用クラブやグラウンドゴルフ用クラブでは、そのヘッドは、シャフトの一端部に設けられるヘッド本体と、ヘッド本体に設けられるフェース部とを備える。たとえば、下記特許文献１には、基端側を競技者が把持し得る棒状のシャフトと、該シャフト先端に形成された木製のヘッド本体と、該ヘッド本体に形成され、打球し得るフェイスと、前記ヘッド本体の下面に形成された金属製のソールプレートとを有したグラウンドゴルフ用クラブが開示されている。
【先行技術文献】
【特許文献】
【０００３】
【特許文献１】特開２００６−１９８０２２号公報
【考案の概要】
【考案が解決しようとする課題】
【０００４】
しかしながら、従来のパークゴルフまたはグラウンドゴルフ用クラブでは、ボールを打つ際に、フェース部の表面であるフェース面とボールとの間に小石などが挟まることによって、小石などによりフェース面が損傷するおそれがある。また、フェース面は、使用している間に土などで汚れるおそれもある。フェース面が汚れることで、クラブの見た目が悪くなってしまう。
【０００５】
本考案は、このような問題に鑑みてなされたものであり、その主たる目的は、パークゴルフまたはグラウンドゴルフ用クラブのフェース面が損傷したり汚れたりするのを防止することができるフェース保護部材と、このフェース保護部材が貼着されたパークゴルフまたはグラウンドゴルフ用クラブを提供することにある。
【課題を解決するための手段】
【０００６】
上記目的を達成するための本考案に係るパークゴルフまたはグラウンドゴルフ用クラブのフェース保護部材は、パークゴルフまたはグラウンドゴルフ用クラブのフェース面を保護するために、前記フェース面に貼着されるフェース保護部材であって、フィルム状の基材と、前記基材に積層され、前記基材を前記フェース面に剥離可能に貼着する粘着層と、前記粘着層に剥離可能に設けられる剥離材とを備えることを特徴とする。
【０００７】
また、本考案に係るパークゴルフまたはグラウンドゴルフ用クラブのフェース保護部材は、前記基材は、前記フェース面と同一形状に形成されており、前記フェース面全域を覆うようにして、前記粘着層を介して前記フェース面に貼着されることを特徴とする。
【０００８】
上記目的を達成するための本考案に係るパークゴルフまたはグラウンドゴルフ用クラブは、パークゴルフまたはグラウンドゴルフ用クラブのフェース面を保護するためのフェース保護部材が設けられたパークゴルフまたはグラウンドゴルフ用クラブであって、前記フェース保護部材は、フィルム状の基材と、前記基材に積層される粘着層とを備えており、前記基材が前記粘着層を介して前記フェース面に剥離可能に貼着されたことを特徴とする。
【０００９】
また、本考案に係るパークゴルフまたはグラウンドゴルフ用クラブは、前記基材は、前記フェース面と同一形状に形成されており、前記フェース面全域を覆うようにして、前記粘着層を介して前記フェース面に貼着されたことを特徴とする。
【考案の効果】
【００１０】
本考案に係るパークゴルフまたはグラウンドゴルフ用クラブのフェース保護部材によれば、粘着層によりフェース面に貼着することで、フェース面を覆うことができる。これにより、ボールを打つ際に、フェース面とボールとの間に小石などが入り込んだ場合、小石などによりフェース面が損傷するのを防止することができる。また、フェース保護部材によりフェース面が覆われていることで、フェース面に土や埃などによる汚れが付着するのを防止することができる。
【００１１】
また、本考案に係るパークゴルフまたはグラウンドゴルフ用クラブのフェース保護部材によれば、基材がフェース面と同一形状とされ、フェース面の全域を覆うようにして貼着されることで、基材がフェース面からはみ出すことなく貼着することができる。
【００１２】
基材がフェース面よりも大きい形状に形成されている場合、貼着した際に基材がフェース面からはみ出してしまう。このはみ出した部分は、クラブのヘッドの上下面や側面に貼着されることになる。クラブのヘッドの上下面や側面は、ボールの打球面でないため、損傷していたとしても、ボールの転がりに直接悪影響を与えることがない。すなわち、基材がフェース面よりも大きい形状に形成されている場合、ボールの転がりに影響を与えることがなく、特に保護を必要としない箇所までも保護することになってしまう。これに対し、基材がフェース面と同一形状に形成されている場合、前述したように貼着した際にはみ出すことがなく、基材にかかるコストを低減しつつ、ボールの転がりに影響を与えるフェース面を保護することができる。
【００１３】
本考案に係るパークゴルフまたはグラウンドゴルフ用クラブによれば、フェース保護部材によって、クラブのフェース面を保護することができる。従って、クラブを用いてボールを打つ際に、フェース面とボールとの間に小石などが入り込んだ場合、小石などによりフェース面が損傷するのを防止することができる。また、フェース保護部材によりフェース面が覆われていることで、フェース面に土や埃などによる汚れが付着するのを防止することができる。
【００１４】
また、本考案に係るパークゴルフまたはグラウンドゴルフ用クラブによれば、クラブのフェース面と同一形状に形成された基材が、フェース面の全域を覆うようにしてフェース面に貼着されていることで、フェース面から基材がはみ出すことがない。
【００１５】
基材がフェース面よりも大きい形状に形成されている場合、貼着した基材がフェース面からはみ出したクラブとなってしまう。このはみ出した部分は、クラブのヘッドの上下面や側面に貼着されることになる。クラブのヘッドの上下面や側面は、ボールの打球面でないため、損傷していたとしても、ボールの転がりに直接悪影響を与えることがない。すなわち、基材がフェース面よりも大きい形状に形成されている場合、ボールの転がりに影響を与えることがなく、特に保護を必要としない箇所までも保護することになってしまう。これに対し、基材がフェース面と同一形状に形成されている場合、前述したように貼着した際にはみ出すことがなく、基材にかかるコストを低減しつつ、ボールの転がりに影響を与えるフェース面が保護されたクラブとすることができる。
【図面の簡単な説明】
【００１６】
【図１】本考案のパークゴルフまたはグラウンドゴルフ用クラブのフェース保護部材の一実施例を示す斜視図であり、剥離紙を一部剥がした状態図。
【図２】図１のフェース保護部材の拡大縦断面図。
【図３】図１のフェース保護部材がパークゴルフ用クラブに貼着された状態を示す斜視図。
【図４】図３のパークゴルフ用クラブのヘッドの一部断面側面図。
【図５】本考案のパークゴルフまたはグラウンドゴルフ用クラブのフェース保護部材の他の実施例がグラウンドゴルフ用クラブに貼着された状態を示す斜視図。
【図６】図５のグラウンドゴルフ用クラブのヘッドの一部断面側面図。
【考案を実施するための形態】
【００１７】
以下、本考案の具体的実施例を図面に基づいて詳細に説明する。
【００１８】
図１および図２は、本考案のパークゴルフまたはグラウンドゴルフ用クラブのフェース保護部材の一実施例を示す図であり、図１は剥離紙の一部を剥がした状態を示す斜視図、図２は図１のフェース保護部材の縦断面図である。ここでは、パークゴルフ用クラブのフェース面に貼着されるフェース保護部材について説明する。本実施例のパークゴルフまたはグラウンドゴルフ用クラブのフェース保護部材１は、パークゴルフ用クラブ７（図３および図４）のフェース面１４（図４）を保護するために、フェース面１４に貼り付けられる部材であって、フィルム状の基材２と、該基材２に積層される粘着層３と、該粘着層３に剥離可能に設けられる剥離材４とを備える。
【００１９】
基材２は、透明なプラスチック製であり、正面から見た形状がボールの打球面であるフェース面１４と同一形状に形成されたフィルム状のものである。すなわち、基材２は、フェース面１４と対応する形状、言い換えれば、クラブ７のフェース面１４の全域を覆う形状に形成されている。基材２は、ボールが接触する側の面である前面５が平滑面に形成されている。基材２の略中央部には、ボールの適切な接触箇所を示す模様が描かれており、図示例では円が描かれている。なお、本実施例の基材２の材質は、たとえば、ポリエチレンテレフタレート（ＰＥＴ）、ポリカーボネート（ＰＣ）またはポリプロピレン（ＰＰ）などである。
【００２０】
粘着層３は、基材２をフェース面１４に剥離可能に貼着するものであり、アクリル系接着剤やゴム系接着剤などから形成されている。この粘着層３の外形状は、正面から見た形状が基材２と同一形状に形成されており、基材２の後面６の全域を覆うようにして、基材２の後面６に積層されている。この粘着層３とフェース面１４との剥離抵抗は、粘着層３と基材２との剥離抵抗よりも小さくなるようにしている。また、粘着層３とフェース面１４との粘着力は、手指で摘んで剥がすことができる程度の弱接着力とされている。なお、本実施例では、基材２と粘着層３との合計厚さＡが１０μｍ以上１ｍｍ未満とされている。
【００２１】
剥離材４は、シート状であり、粘着層３にゴミなどが付着するのを防止するものであって、本実施例では剥離紙とされる。剥離紙４は、正面から見た形状が粘着層３と同一形状に形成されており、粘着層３の全域を被覆するようにして、粘着層３に剥離可能に設けられている。
【００２２】
図３および図４は、本実施例のフェース保護部材１がパークゴルフ用クラブ７に貼着された状態を示す図であり、図３はクラブの斜視図、図４はクラブのヘッドの左側面図であり、一部を断面にして示している。これらの図に示されるように、パークゴルフ用クラブ７は、上下方向へ沿って配置されるシャフト８の上端部に競技者が把持するグリップ９を備えると共に、シャフト８の下端部にボールを打つためのヘッド１０を備えて構成されている。
【００２３】
図４に示されるように、ヘッド１０は、シャフト８が差し込み固定されるヘッド本体１１と、該ヘッド本体１１の下端部に設けられるソール１２と、前記ヘッド本体１１の前端部に設けられるフェース１３とを備える。ヘッド本体１１は、上面に差込穴が形成されており、この差込穴にシャフト８の下端部が差し込まれた状態で、接着剤などによってシャフト８に互いに固定される。ソール１２は、下方へ膨出するよう湾曲した板状とされ、ヘッド本体１１の下面にネジなどで固定される。フェース１３は、板状に形成されており、ヘッド本体１１の前面にネジなどで固定される。このフェース１３の前面がボールの接触面であるフェース面１４とされる。
【００２４】
このような構成のパークゴルフ用クラブ７のフェース面１４に、本実施例のフェース保護部材１が貼着される。図４に示されるように、フェース保護部材１は、粘着層３から剥離紙４が剥がされ、フェース面１４に貼着される。すなわち、フェース面１４に、粘着層３を介して基材２が貼着される。この際、基材２は、フェース面１４の全域を覆うようにして貼着される。このようにして、フェース保護部材１が貼着されたパークゴルフ用クラブとすることができる。
【００２５】
次に、グラウンドゴルフ用クラブに、本考案のフェース保護部材が貼着される場合について説明する。すなわち、ここでは、フェース保護部材は、グラウンドゴルフ用クラブのフェース面を保護するためのものである。図５および図６は、本考案のフェース保護部材の他の実施例がグラウンドゴルフ用クラブに貼着された状態を示す図であり、図５はクラブの斜視図、図６はクラブのヘッドの左側面図であり、一部を断面にして示している。まず、グラウンドゴルフ用クラブについて説明する。
【００２６】
図５および図６に示されるように、グラウンドゴルフ用クラブ１５は、上下方向へ沿って配置されるシャフト１６の上端部に競技者が把持するグリップ１７を備えると共に、シャフト１６の下端部にボールを打つためのヘッド１８を備えて構成されている。このヘッド１８は、シャフト１６が差し込まれるヘッド本体１９と、ヘッド本体１９の下端部に設けられるソール２０と、ヘッド本体１９の前端部に設けられる第一フェース２１と、ヘッド本体１９の後端部に設けられる第二フェース２２とを備える。
【００２７】
ヘッド本体１９は、上面に差込穴が形成されており、この差込穴にシャフト１６の下端部が差し込まれた状態で、接着剤などによってシャフト１６に互いに固定される。ソール２０は、下方へ膨出するよう湾曲した板状とされ、ヘッド本体１９の下面にネジなどで固定される。第一フェース２１は、板状に形成されており、ヘッド本体１９の前面にネジなどで固定される。第二フェース２２は、板状に形成されており、ヘッド本体１９の後面にネジなどで固定される。ここでは、第一フェース２１と第二フェース２２とは、同一形状に形成されている。第一フェース２１の前面がボールの接触面である第一フェース面２３とされる一方、第二フェース２２の後面がボールの接触面である第二フェース面２４とされる。すなわち、グラウンドゴルフ用クラブ１５では、前後方向二箇所に、ボールの接触面であるフェース面が形成されている。
【００２８】
グラウンドゴルフ用クラブ１５に貼着されるフェース保護部材も、基本的には、パークゴルフ用クラブ７に貼着されるフェース保護部材と同様の構成である。図５および図６に示されるように、グラウンドゴルフ用クラブ１５は、第一フェース面２３と第二フェース面２４とを備えており、両フェース面２３，２４にそれぞれ、フェース保護部材１が貼着される。
【００２９】
図１に示されるフェース保護部材１は、パークゴルフ用クラブ７のフェース面１４と同一形状に形成されたが、図５および図６に示される二枚のフェース保護部材１，１は、一方のフェース保護部材１がグラウンドゴルフ用クラブ１５の第一フェース面２３と同一形状に形成されており、他方のフェース保護部材１がグラウンドゴルフ用クラブ１５の第二フェース面２４と同一形状に形成されている。
【００３０】
具体的には、第一フェース面２３に貼着されるフェース保護部材１は、基材２、粘着層３および剥離材の正面から見た形状が第一フェース面２３と同一形状に形成されている。また、第二フェース面２４に貼着されるフェース保護部材１は、基材２、粘着層３および剥離材の正面から見た形状が第二フェース面２４と同一形状に形成されている。なお、図示例では、第一フェース面２３と第二フェース面２４とが同一形状に形成されており、一方のフェース保護部材１と他方のフェース保護部材１とは正面から見た形状が同一形状に形成されている。その他の構成は、図１に示されるフェース保護部材１と同様であるため、説明を省略する。
【００３１】
前述したように、グラウンドゴルフ用クラブ１５には、二枚のフェース保護部材１，１が用いられる。一方のフェース保護部材１は、粘着層３から剥離紙が剥がされ、第一フェース面２３に貼着される。また、他方のフェース保護部材１は、粘着層３から剥離紙が剥がされ、第二フェース面２４に貼着される。すなわち、両フェース面２３，２４に、粘着層３を介して基材２が貼着される。この際、一方の基材２が第一フェース面２３の全域を覆うようにして貼着され、他方の基材２が第二フェース面２４の全域を覆うようにして貼着される。ここで、他方の基材２では、図６において後面が平滑面とされる。このようにして、フェース保護部材１，１が貼着されたグラウンドゴルフ用クラブ１５とすることができる。
【００３２】
図１および図５に示されるフェース保護部材１とフェース保護部材１を設けたパークゴルフまたはグラウンドゴルフ用クラブ７，１５によれば、フェース面１４，２３，２４と同一形状の基材２がフェース面１４，２３，２４全域を覆うように貼着されることで、フェース面１４，２３，２４全域を保護することができる。すなわち、クラブ７，１５でボールを打つ際にフェース面１４，２３，２４とボールとの間に小石などが入り込んだ場合、小石などによりフェース面１４，２３，２４全域が損傷するのを防止することができる。また、フェース保護部材１によりフェース面１４，２３，２４全域が覆われていることで、フェース面１４，２３，２４全域に土や埃などによる汚れが付着するのを防止することができる。
【００３３】
また、図１および図５に示されるフェース保護部材１とフェース保護部材１を設けたパークゴルフまたはグラウンドゴルフ用クラブ７，１５によれば、フェース面１４，２３，２４と同一形状の基材２がフェース面１４，２３，２４全域を覆うように貼着されることで、基材２がフェース面１４，２３，２４から外方へはみ出すことがない。基材２がフェース面１４，２３，２４よりも大きい形状の場合、基材２をフェース面１４，２３，２４に貼着した際にはみ出してしまい、そのはみ出した部分が折り曲げられてヘッド１０，１８の前端部の外周面に貼着される。このはみ出した部分が貼着される箇所は、ボールの打球面ではなく、フェース保護部材１を貼り付ける必要のない箇所である。
【００３４】
従って、基材２がフェース面１４，２３，２４よりも大きい形状の場合、無駄な部分も保護することになり、基材２にかかるコストが高くなってしまう。これに対し、基材２がフェース面１４，２３，２４と対応した形状の場合、フェース面１４，２３，２４の確実な保護を図りつつ、コストの低減を図ることができる。
【００３５】
また、図１および図５に示されるフェース保護部材１とフェース保護部材１を設けたパークゴルフまたはグラウンドゴルフ用クラブ７，１５によれば、フェース面１４，２３，２４に対してフェース保護部材１が剥離可能とされていることで、貼着されているフェース保護部材１を剥がして、新しいフェース保護部材１を貼着することができる。これにより、クラブ７，１５を使用している間にフェース保護部材１が損傷したり汚れたりした場合、フェース保護部材１を新しいものに交換することができる。
【００３６】
前述したように、フェース保護部材１は、粘着層３とフェース面１４，２３，２４との剥離抵抗が粘着層３と基材２との剥離抵抗よりも小さく形成されていることで、フェース面１４，２３，２４から剥がしたときに、粘着層３がフェース面１４，２３，２４に残らず、粘着層３が基材２に積層された状態が維持される。従って、フェース保護部材１の交換時に、フェース面１４，２３，２４に残った粘着層３を剥がす作業を行う必要がなく、容易にフェース保護部材１を交換することができる。また、前述したように、フェース保護部材１は、粘着層３とフェース面１４，２３，２４との粘着力が手指で摘んで剥がすことができる程度の弱接着力とされていることで、フェース面１４，２３，２４から剥がす際に何ら道具を用いる必要がなく、容易に剥がすことができる。
【００３７】
さらに、図１および図５に示されるフェース保護部材１とフェース保護部材１を設けたパークゴルフまたはグラウンドゴルフ用クラブ７，１５によれば、基材２と粘着層３との合計厚さＡが１０μｍ以上１ｍｍとされると共に、基材２のボール接触面が平滑面とされている。従って、ボールを打つ際に、打感に違和感が生じることがない。これに加えて、ボールを打つ際に、ボールに望まないスピンがかかることを防止することができる。
【００３８】
基材２と粘着層３との合計厚さＡが１０μｍ未満の場合には、ボールとの接触によりフェース保護部材１が破れてしまうおそれがある。基材２と粘着層３との合計厚さＡが１ｍｍ以上の場合には、ボールを打つ際に、打感に違和感が生じてしまう。また、ボールの転がりにも影響を与え、望んだ位置まで転がすことができなかったり、望んだ位置を超えて転がってしまったりするおそれがある。
【００３９】
本考案のフェース保護部材とこれを備えるクラブは、前述した構成に限らず、適宜変更可能である。たとえば、前述した構成では、基材２がフェース面１４，２３，２４と同一形状に形成されたが、基材２がフェース面１４，２３，２４と異なる形状に形成してもよい。一例として、基材２の左右幅がフェース面１４，２３，２４の左右幅より小さくなるように、基材２を形成してもよい。この場合、基材２は、フェース面１４，２３，２４の左右両端部を残して、フェース面１４，２３，２４の左右方向略中央部のみを覆うことになる。これにより、基材２にかかるコストを低減しつつ、フェース面１４，２３，２４の内、最もボールと接触する可能性が高い中央部を保護することができる。
【００４０】
また、前述した構成では、粘着層３は、基材２と同一形状に形成されたが、これに限定されるものではなく、たとえば、基材２の周縁部にのみ形成してもよい。これにより、基材２のフェース面１４，２３，２４への接着を維持しつつ、粘着層３にかかるコストを低減することができる。また、前述した構成では、基材２は、プラスチック製とされたが、これに限定されるものではなく、たとえば、紙製でもよい。
【００４１】
また、前述した構成では、ボールの適切な接触箇所を示す模様が円であったが、これに限定されるものではなく、たとえば三角の模様や四角の模様であってもよい。また、模様は、ボールの適切な接触箇所を示すものではなく、デザインを施すものであってもよい。また、無模様であってもよい。また、前述した構成では、基材２は、透明とされたが、これに限定されるものではなく、不透明であってもよい。また、基材２は、無彩色であってもよいし、有彩色であってもよい。さらに、パークゴルフ用クラブ７やグラウンドゴルフ用クラブ１５の構成は、前述した構成に限らず、適宜に変更可能である。
【産業上の利用可能性】
【００４２】
本考案は、パークゴルフ用クラブやグラウンドゴルフ用クラブのフェース面を保護する際に好適に用いられる。
【符号の説明】
【００４３】
１  フェース保護部材
２  基材
３  粘着層
４  剥離紙（剥離材）
７  パークゴルフ用クラブ
１４  フェース面
１５  グラウンドゴルフ用クラブ
２３  第一フェース面
２４  第二フェース面
【図１】
0003202184.tif 000003
【図２】
0003202184.tif 000004
【図３】
0003202184.tif 000005
【図４】
0003202184.tif 000006
【図５】
0003202184.tif 000007
【図６】
0003202184.tif 000008